(57)【要約】【課題】複数の電波を同時に受信（ダイバーシティ受信）可能な複数本のアンテナケーブルとダイバーシティ受信機を構成する集積回路を備えたプリント回路基板との接続を容易に行うことができると共に、プリント回路基板の小型化をも図ることが可能なダイバーシティ受信機用コネクタユニットを提供すること。【解決手段】アンテナケーブル５０が接続されるケーブル端子６０を複数配設してなるケーブル側コネクタ１００が、ケーブル端子６０に接続されるケーブル側接続部１１ａとプリント回路基板４０に接続される基板側接続部１１ｂ，２１ｂとからなる内導体端子１１と、これを覆う外導体端子１３と、前記両端子１１，１３を絶縁保持する誘電体とを備えたシールド端子１０，２０を基板側ハウジング３０内に複数配設してなる基板側のコネクタ１の嵌合部３４に嵌合接続される。【選択図】　図１
2004007045.tif 000002
【特許請求の範囲】
【請求項１】
複数本のアンテナケーブルとプリント回路基板とを接続するダイバーシティ受信機用コネクタユニットであって、
前記アンテナケーブルの端末部が接続されるケーブル端子をケーブル側ハウジング内に複数配設してなるケーブル側コネクタと、
前記ケーブル端子に接続されるケーブル側接続部とプリント回路基板に接続される基板側接続部とからなる内導体端子と、この内導体端子を覆う外導体端子と、前記両端子を絶縁保持する誘電体とを備えたシールド端子を基板側ハウジング内に複数配設してなり、この基板側ハウジングの一端部に前記ケーブル側コネクタを嵌合装着可能とする嵌合部が設けられている基板側コネクタとからなることを特徴とするダイバーシティ受信機用コネクタユニット。
【請求項２】
前記基板側コネクタは、前記シールド端子が前記ケーブル側接続部と前記基板側接続部とが略直角の関係にある内導体端子を備えており、ケーブル側接続部がプリント回路基板面に対して略平行に配向されると共に基板側接続部がプリント回路基板とその基板面に対して略垂直に配向された状態で接続されるように、基板側ハウジング内にプリント回路基板面に対して略垂直な方向に複数配設されていることを特徴とする請求項１に記載のダイバーシティ受信機用コネクタユニット。
【請求項３】
請求項２に記載のダイバーシティ受信機用コネクタユニットにおいて、前記プリント回路基板面を基準にして前記基板側コネクタの基板側ハウジングの最下層に配設されるシールド端子は、前記ケーブル側接続部と前記基板側接続部とが略直線上の関係にある内導体端子を備えており、前記基板側接続部がプリント回路基板面とその基板面に対して略平行に配向された状態で接続されることを特徴とするダイバーシティ受信機用コネクタユニット。
【請求項４】
請求項２又は３に記載のダイバーシティ受信機用コネクタユニットにおいて、前記ケーブル側ハウジングの外端面であって前記ケーブル端子の配設方向の延長上には前記基板側コネクタからの抜脱を防止するロック部が設けられると共に、前記基板側ハウジングの嵌合部には前記ロック部を係合する係合部が設けられていることを特徴とするダイバーシティ受信機用コネクタユニット。
【発明の詳細な説明】
【０００１】
【発明の属する技術分野】
本発明は、ダイバーシティ受信機用コネクタユニットに関し、更に詳しくは、複数本のアンテナケーブルとプリント回路基板とを電気的に接続する中継的な役割を担うものであって、アンテナケーブルの端末部が接続されるケーブル端子を複数配設してなるケーブル側コネクタと、ケーブル端子とプリント回路基板間の電気信号を伝送する内導体端子とこの内導体端子を電磁的に遮蔽する外導体端子と両端子間を絶縁状態で保持する誘電体とを備えたシールド端子をハウジング内に複数配設してなる基板側コネクタとからなるダイバーシティ受信機用コネクタユニットに関する。
【０００２】
【従来の技術】
近年、カーナビゲーションシステム等の普及に伴い、自動車のように移動によって電波の受信状態が刻々と変化する環境においても常に良好な受信状態が得られる受信装置が求められてきている。このように受信状態に変化を伴う車載用等の受信装置においては、一般に、複数のアンテナを設けることによって複数の電波を同時に受けてより強い電波を受信したアンテナを選択し使用可能とするダイバーシティ受信の方法が採用されている。
【０００３】
このようなダイバーシティ受信用として、アンテナと受信装置との間を電気的に接続する接続装置（ダイバーシティ受信機用コネクタ）は、例えば、特開平８−２６４２３３号公報に示されているものが知られている。この公報に示されているダイバーシティ受信機用コネクタは、電波を受信するメインとサブの２つのアンテナと受信機を構成する集積回路を備えたプリント回路基板とをつなぐ中継的な役割を果たすコネクタであって、それぞれのアンテナのホット側端子との接続部を担うメインホット切片とサブホット切片とを備えている。これらのアンテナのコネクタへの接続は、各アンテナのホット側端子を対応するメイン又はサブホット切片を個々に組み付けることによってなされる。
【０００４】
【発明が解決しようとする課題】
しかしながら、前述のようなダイバーシティ受信機用のコネクタは、複数本のアンテナをそれぞれ別々にコネクタに組み付ける構造であるため、接続されるアンテナの極数が多くなればなるほど組付工程は増加し、組付作業の効率化を妨げる要因となっていた。また、このような複数のケーブルが接続されるいわゆる多極型のコネクタは、通常、複数本のアンテナケーブルがプリント回路基板面に対して横方向に並列されるように、アンテナケーブルとの接続部がプリント回路基板に対して横方向に配設された状態でプリント回路基板上に設置される。したがって、コネクタがプリント回路基板面に占める専有面積が大きく、その専有面積分だけプリント回路基板上に信号パターンや電子素子等を配設させるスペースを別に設けなければならず、プリント回路基板の小型化を妨げるという問題もあった。
【０００５】
本発明の解決しようとする課題は、複数の電波を同時に受信（ダイバーシティ受信）可能な複数本のアンテナケーブルとダイバーシティ受信機を構成する集積回路を備えたプリント回路基板との接続を簡易的に行うことができ、かつ、プリント回路基板の小型化をも図ることが可能なダイバーシティ受信機用コネクタユニットを提供することである。
【０００６】
【課題を解決するための手段】
この課題を解決するために本発明に係るダイバーシティ受信機用コネクタユニットは、請求項１に記載のように、複数本のアンテナケーブルとプリント回路基板とを接続するダイバーシティ受信機用コネクタユニットであって、前記アンテナケーブルの端末部が接続されるケーブル端子をケーブル側ハウジング内に複数配設してなるケーブル側コネクタと、前記ケーブル端子に接続されるケーブル側接続部とプリント回路基板に接続される基板側接続部とからなる内導体端子と、この内導体端子を覆う外導体端子と、前記両端子を絶縁保持する誘電体とを備えたシールド端子を基板側ハウジング内に複数配設してなり、この基板側ハウジングに前記ケーブル側コネクタを嵌合装着可能とする嵌合部が設けられている基板側コネクタとからなることを要旨とする。
【０００７】
このように、アンテナケーブルの端末部が接続されるケーブル端子がケーブル側ハウジングに複数配設された状態で基板側コネクタに接続されれば、上述の従来型のコネクタの如くアンテナケーブルを１つずつ基板側のコネクタに組み付ける必要がなく、アンテナケーブルとプリント回路基板との間の接続を一回の工程で、かつ容易に、行うことができる。
【０００８】
この場合に、請求項２に記載のように、前記基板側コネクタが、前記シールド端子が前記ケーブル側接続部と前記基板側接続部とが略直角の関係にある内導体端子を備えており、ケーブル側接続部がプリント回路基板面に対して略平行に配向されると共に基板側接続部がプリント回路基板とその基板面に対して略垂直に配向された状態で接続されるように、基板側ハウジング内にプリント回路基板面に対して略垂直な方向に複数配設されていることが好ましい。このように構成されておれば、１つには、シールド端子をプリント回路基板面に対して横方向に配設させてなる従来型のコネクタと比べて、プリント基板面に対する専有面積が削減され、その削減可能なスペースに信号パターンや電子素子等を配設させることによってプリント回路基板の小型化を図ることが可能となる。また１つには、プリント回路基板面に対する専有面積が削減された分だけプリント基板面上に配設される配線回路の専有面積を増大させることが可能となる。
【０００９】
さらにこの場合に、請求項３に記載のように、プリント回路基板面を基準にして基板側コネクタの基板側ハウジングの最下層に配設されるシールド端子が、ケーブル側接続部と基板側接続部とが略直線上の関係にある内導体端子を備えており、基板側接続部がプリント回路基板面とその基板面に対して略平行に配向された状態で接続される場合には、略直角型のシールド端子と異なりプリント回路基板面に対して垂直方向（縦方向）に延設される部分を有しないので、基板側ハウジング内のシールド端子の配設スペースがシールド端子の全長方向（横方向）及び垂直方向（縦方向）に対して短縮可能となる。これにより、基板側コネクタ全体として小型化されることとなり、プリント回路基板に対する専有面積を更に小さくすることができる。
【００１０】
また、上記の縦型の基板側コネクタからなるダイバーシティ受信機用コネクタユニットにおいて、請求項４に記載のように、ケーブル側ハウジングの外端面であって前記ケーブル端子の配設方向の延長上には前記基板側コネクタからの抜脱を防止するロック部が設けられると共に、前記基板側ハウジングの嵌合部には前記ロック部を係合する係合部が設けられていれば、車載時等の振動によっても基板側コネクタからケーブル側コネクタが抜け落ちることがなくコネクタ間の接続が安定に保持されるが、このようなコネクタの抜脱手段を設けたとしても、ケーブル側コネクタ、基板側コネクタ共にプリント回路基板面に対して略垂直な方向（縦方向）にサイズが拡張するだけであるので、基板側コネクタのプリント回路基板に対する専有面積を増大させることなくプリント回路基板上に組み付けることができる。
【００１１】
【発明の実施の形態】
以下に本発明の実施の形態に係るダイバーシティ受信機用コネクタユニットについて、図１〜図１４を用いて詳細に説明する。
【００１２】
（第１の実施の形態）
本発明の第１の実施の形態に係るダイバーシティ受信機用コネクタユニットを構成する基板側コネクタ１を、図１に分解斜視図として示す。以下、本実施の形態の説明においては、後述するケーブル側コネクタ１００との接続側を「前側」とし、図１に示す向きによって上下左右の関係を表している。本実施の形態に係る基板側コネクタ１は、それぞれ大きさの異なる略直角型のシールド端子１０，２０を基板側ハウジング３０内に上下に配設させてなるものである。各シールド端子１０，２０の一端側が図１中には図示しないアンテナケーブル５０が接続されたケーブル側コネクタ１００に接続され、他端側が同じく図１中には図示しないプリント回路基板４０に接続される。シールド端子１０，２０は、ケーブル側コネクタ１００及びプリント回路基板４０との間の電気信号の受け渡す直接的な役割を担う内導体端子１１，２１と、内導体端子１１，２１を電磁的に遮蔽する外導体端子１３，２３と、内導体端子１１，２１と外導体端子１３，２３との間を絶縁状態で保持する誘電体１２，２２とから構成される。以下に、基板側コネクタ１の構成をなす各部材について詳細に説明する。
【００１３】
内導体端子１１，２１は、導電性材料により形成されており、一端側が後述するアンテナケーブル５０が接続されるケーブル端子６０に接続されると共に、他端側が後述するプリント回路基板４０に接続され、アンテナケーブル５０とプリント回路基板４０との間の電気信号を直接的に受け渡す役割を担う。この内導体端子１１，２１は、略直角の関係にあるケーブル側接続部１１ａ，２１ａと基板側接続部１１ｂ，２１ｂとからなる。ケーブル側接続部１１ａ，２１ａはケーブル端子６０を構成するメス型の内導体端子６１と嵌合接続され（図７参照）、基板側接続部１１ｂ，２１ｂは後述するプリント回路基板４０のスルーホール４１ａに嵌め込まれて基板面上の信号パターン４２とハンダ接続される（図６参照）。
【００１４】
誘電体１２，２２は、絶縁性の樹脂材料等により形成されており、内導体端子１１，２１と後述する外導体端子１３，２３とを絶縁状態に保持する役割を担う。この誘電体１２，２２は、図４に示すように、一端側を開放する収容部１２ａ，２２ａを備え、この開放部から内導体端子１１，２１が挿入される。また、この収容部１２ａ，２２ａから前後方向に貫通する挿通孔１２ｂ，２２ｂが設けられ、内導体端子１１，２１の嵌合タブ１１ａ，２１ａが挿入される。また、この誘電体１２，２２の上面中央には、前後に段差のある溝部１２ｃ，２２ｃが凹状に設けられている。
【００１５】
外導体端子１３，２３は、導電性材料からなる板材を折り曲げ加工して形成されており、誘電体１２，２２の周囲を覆うと共に内導体端子１１，２１を電磁的に遮蔽する役割を担う。この外導体端子１３，２３は、図４に示すように、前後方向に延設される嵌合部１３ａ，２３ａと、この嵌合部１３ａ，２３ａの後部から下方に延設される基板組付部１３ｂ，２３ｂとを備えたものである。
【００１６】
嵌合部１３ａ，２３ａの先端の開口部には、後述するケーブル側コネクタ１００のメス型のケーブル端子６０が嵌め込まれる。また、この嵌合部１３ａ，２３ａの上下及び左右壁面には、ケーブル端子６０の外周面に弾性接触可能とする接触部１３ｃ，２３ｃが内側に突設されている。また、嵌合部１３ａ，２３ａの後部上面中央には、係止部１３ｄ，２３ｄが内側に突設されている。この係止部１３ｄ，２３ｄは、誘電体１２，２２の溝部１２ｃ，２２ｃの段差部に係合することで誘電体１２，２２を係止する機能を有する。また、この係止部１３ｄ，２３ｄの左右両側位置には、後述する基板側ハウジング３０内に外導体端子１３，２３を係止するためのスタビライザ１３ｅ，２３ｅが外側に向けて形成されている（図１参照）。また、スタビライザ１３ｅ，２３ｅの下方には左右一対のランス１３ｆ，２３ｆが外側に突設されており、後述する基板側ハウジング３０のランス係合部３２ｂ，３３ｂに嵌合される。
【００１７】
また、嵌合部１３ａ，２３ａの後端上部には、嵌合部１３ａ，２３ａ及び基板組付部１３ｂ，２３ｂの後端開放部を閉塞する折曲げ片１３ｇ，２３ｇが設けられている。この折曲げ片１３ｇ，２３ｇと嵌合部１３ａ，２３ａの上面との結合部には、左右両端縁から切り込みが形成され、折り曲げ作業の容易化を図っている。また、この折曲げ片１３ｇ，２３ｇの後端部には、外向きに延設され、且つ、下方に折り曲げられてなる係合片１３ｈ，２３ｈが設けられている。さらに、この係合片１３ｈ，２３ｈには、基板組付部１３ｂ，２３ｂの左右外面に接触する係合突部１３ｉ，２３ｉが内側に設けられている。
【００１８】
また、基板組付部１３ｂ，２３ｂの左右壁面には、係合孔１３ｊ，２３ｊが形成されており、折曲げ片１３ｇ，２３ｇを基板組付部１３ｂ，２３ｂ側に折り曲げたときに、折曲げ片１３ｇ，２３ｇの係合突部１３ｉ，２３ｉが係合されるようになっている。さらに、基板組付部１３ｂ，２３ｂの下端には、左右一対からなる接地用タブ１３ｋ，２３ｋが、前後に位置をずらして下方に突出して設けられており、後述するプリント回路基板４０のスルーホール４１ｂに嵌め込まれた状態でプリント回路基板４０のグランドパターン４３に接続される（図６参照）。
【００１９】
基板側ハウジング３０は、絶縁性の樹脂材料等から形成されており、上述の内導体端子１１，２１、誘電体１２，２２、及び外導体端子１３，２３とを組み付けてなるシールド端子１０，２０を互いに絶縁保持する役割を担う。この基板側ハウジング３０には、図１〜図３に示すように、隔壁３１を介して上下２つの収容部３２，３３が前後方向に貫通して設けられており、これらの収容部３２，３３に、シールド端子１０，２０がそれぞれ嵌合収容される。なお、下段側の収容部３２には小さい方のシールド端子１０が嵌合され、上段の収容部３３には大きい方のシールド端子２０が嵌合される。各収容部３２，３３の左右壁面には後端側から嵌合溝３２ａ，３３ａが形成されており、外導体端子１３，２３のスタビライザ１３ｅ，２３ｅが嵌合される。また、各収容部３２，３３の左右壁面にはランス係合部３２ｂ，３３ｂが凹状に設けられており、外導体端子１３，２３のランス１３ｆ，２３ｆが嵌合される。また、ランス係合部３２ｂ，３３ｂの延長上にある各収容部３２，３３の左右壁面端縁には導入溝３２ｃ，３３ｃが設けられており、ランス１３ｆ，２３ｆの導入を容易化させる。
【００２０】
また、収容部３２，３３の前方には、前面が開口された嵌合部３４が設けられており、後述するケーブル側コネクタ１００が嵌合収容される。この嵌合部３４の前方上端縁にはストッパ３４ａが突設されており、後述するケーブル側コネクタ１００を抜脱不能に係止可能とする。また、基板側ハウジング３０後方の左右外壁面には上下方向に貫通するネジ取付孔３５ａを備えた取付部３５が突設されており、後述する組付ネジＳをネジ取付孔３５ａに挿通させてプリント回路基板４０にネジ留めすることによって基板側ハウジング３０がプリント回路基板上に固定保持される。
【００２１】
次に、上記構成部材からなる基板側コネクタ１の組付工程について、図４〜図６を参照して説明する。まず、図４を参照して、シールド端子１０，２０の組付工程について説明する。なお、基板側ハウジング３０内に配設される２つのシールド端子１０，２０は、大きさが異なるがともに同じ構造を有しているので、ここでは下段側の収容部３２に配設されるシールド端子１０の組付工程についてのみ説明することとし、もう一方のシールド端子２０については対応する部材の符号を図４中にかっこ書きとして表示している。
【００２２】
まず、内導体端子１１を誘電体１２の後方から収容部１２ａへと押し込み、嵌合タブ１１ａを挿通部１２ｂへと挿通させる（図４（ａ）参照）。基板側接続部１１ｂが収容部１２ａの内壁に当接するまで押し込むと、ケーブル側接続部１１ａと基板側接続部１１ｂのそれぞれの先端が誘電体１２から突出して、内導体端子１１の組み付けが完了する（図４（ｂ）参照）。
【００２３】
次に、この内導体端子１１と誘電体１２とからなる組付体を、外導体端子１３の後方から挿入する（図４（ｂ）参照）。なおこのとき、外導体端子１３の折曲げ片１３ｇは水平方向に維持され、嵌合部１３ａ及び基板組付部１３ｂの後面が開放されている。組付体を外導体端子１３の所定位置まで押し込むと、誘電体１２の前方の突出部が嵌合部１３ａに嵌め込まれると共に、嵌合部１３ａの係止部１３ｄが溝部１２ｃの段差部に係合され誘電体１２の抜脱が阻止される（図４（ｃ）参照）。次いで、折曲げ片１３ｇを誘電体１２の後面側に折り曲げると、係合片１３ｈの係合突部１３ｉが基板組付部１３ｂの係合孔１３ｊに係合され、誘電体１２がさらに抜け止めされる。以上の工程により、シールド端子１０の組み付けが完了する。
【００２４】
次に、図５（ａ）〜（ｃ）に示すように、シールド端子１０，２０を基板側ハウジング３０の収容部３２，３３へと押し込む。シールド端子１０，２０は、下段側、上段側の順に収容される。このとき、各シールド端子１０，２０のスタビライザ１３ｅ，２３ｅが収容部３２，３３の嵌合溝３２ａ，３３ａに嵌入されると共に、ランス１３ｆ，２３ｆがランス係合部３２ｂ，３３ｂに嵌合されることによって、シールド端子１０，２０がその先端部を収容部３２，３３の前方へと突出させた状態で抜脱不能に係止される。このようにして、基板側コネクタ１が組み付けが完了する。
【００２５】
こうして得られた基板側コネクタ１をプリント回路基板４０に組み付けする工程について、図６を参照して説明する。まず、基板側ハウジング３０の下端から突出する各内導体端子１１，２１の基板側接続部１１ｂ，２１ｂと外導体端子１３，２３の接地用タブ１３ｋ，２３ｋとをプリント回路基板４０のスルーホール４１ａ，４１ｂに挿通させる。このとき、基板側ハウジング３０の取付部３５のネジ取付孔３５ａがプリント回路基板４０上に形成されるネジ穴４４と相重なる。次いで、組付ネジＳをネジ取付孔３４ａとネジ穴４４に挿通させプリント回路基板４０にネジ留めすることによって、基板側コネクタ１がプリント回路基板４０上に固定保持される。次いで、スルーホール４１ａ，４１ｂに挿通された基板側接続部１１ｂ，２１ｂ及び接地用タブ１３ｋ，２３ｋをプリント回路基板４０の表裏両面側からハンダ付けすることによって、基板側接続部１１ｂ，２１ｂが信号パターン４２に接続されると共に、接地用タブ１３ｋ，２３ｋがグランドパターン４３に接続される。これにより、基板側コネクタ１とプリント回路基板４０との間で電気信号の受け渡しが可能となる。
【００２６】
次に、ケーブル側コネクタ１００とを接続する工程について、図７を参照して説明する。このケーブル側コネクタ１００は、アンテナケーブル５０の芯線５１と接続されるメス型の内導体端子１１１と、内導体端子１１１を覆う外導体端子１１３と、両端子間１１１，１１３を絶縁保持する誘電体１１２とを備えるケーブル端子１１０をケーブル側ハウジング１２０内に配設させてなるものである。以下に、ケーブル側コネクタ１００の構成について簡単に説明する。
【００２７】
内導体端子１１１は、導電性部材から形成されており、アンテナケーブル５０とオス型の内導体端子１１，２１とを電気的に接続する中継的な役割を担う。この内導体端子１１１は、一端側に弾性接触片１１１ａが設けられ、オス型の内導体端子１１，２１のケーブル側接続部１１ａ，２１ａを弾性接触可能としている。また、他端側には対からなる芯線バレル１１１ｂが設けられており、後述するアンテナケーブル５０の芯線５１の周面にかしめ接続される。
【００２８】
誘電体１１２は、絶縁性の樹脂材料等から形成されており、内導体端子１１１と後述する外導体端子１１３とを絶縁保持する役割を担う。この誘電体１１２は、内導体端子１１１を収容する収容部１１２ａと、一端側に後述する外導体端子１１３の嵌合部１１３ａに係止されるフランジ部１１２ｂとを備えている。
【００２９】
外導体端子１１３は、導電性部材を折り曲げ加工して形成されており、誘電体１１２の周囲を覆うと共に、内導体端子１１１を電磁的に遮蔽する役割を担う。この外導体端子１１３は、誘電体１１２の周囲を覆う嵌合部１１３ａを備え、前方（シールド端子１０，２０接続側）が開口されている。この嵌合部１１３ａの後部左右側面には、スタビライザ１１３ｂが左右外側に向けて形成されている。また、この開口部の他端側には、対からなる編組バレル１１３ｃが設けられており、後述するアンテナケーブル５０の編組線５３の周面にかしめ接続される。
【００３０】
ケーブル側ハウジング１２０は、絶縁性の樹脂材料等から形成されており、前述の内導体端子１１１、誘電体１１２、及び外導体端子１１３とを組み付けてなるケーブル端子１１０を互いに絶縁保持する役割を担う。このケーブル側ハウジング１２０には、収容部１２１が上下に並設されており、ケーブル端子１１０が嵌合収容される。また、収容部１２１の両側壁面には、外導体端子１１３のスタビライザ１１３ｂを嵌合する嵌合溝１２１ａが設けられている。また、図７では図示されていないが、収容部１２１の前方には、前面が開口された覆い部１２２が設けられており、基板側コネクタ１のシールド端子１０，２０の突出する先端を収容可能とする（図８参照）。
【００３１】
また、このケーブル側ハウジング１２０は、上記収容部１２１に挿入されたケーブル端子１１０を抜脱不能に係止するためにリテーナ１３０が装着可能となっており、ケーブル側ハウジング１２０の一側壁面には、このリテーナ１３０を挿入する差込溝１２３が収容部１２１と連通状に形成されている。また、ケーブル側ハウジング１２０の上面前部（基板側コネクタ１との接続側）には弾性変形可能なロック部１２４が後方に向けて延設されている。このロック部１２４の中央には基板側コネクタ１のストッパ３４ａを嵌入するための嵌入溝１２４ａが長手方向に沿って形成され、さらに、この嵌入溝１３４ａの途中位置にはストッパ３４ａを係合するためのロック用突起１２４ｂが突設されている。
【００３２】
上記ケーブル側ハウジング１２０の差込溝１２３へと装着されるリテーナ１３０は絶縁性の樹脂材料等により形成されており、基板１３０ａに対して垂直方向に係合部１３０ｂが複数立設されてなるものである。各係合部１３０ｂは、リテーナ１３０を装着した際に、各ケーブル端子１１０のスタビライザ１１３ｂの後端側に装着され、スタビライザ１１３ｂの後方への移動を係止する役割を担う。
【００３３】
次に、上記構成部材からなるケーブル側コネクタ１００の組付工程について説明する。初めに、ケーブル端子１１０の組付工程について説明する。まず、アンテナケーブル５０の芯線５１の周面に内導体端１１１の芯線バレル１１１ｂをかしめてアンテナケーブル５０と内導体端子１１１とを接続する。なお、アンテナケーブル５０は、予め芯線５１と、芯線５１を中心に同心円上に被覆される絶縁内被５２、編組線５３、及び絶縁外被をそれぞれ階層的に露出させ、さらに、露出させた編組線５３を絶縁外被５４側へと折り返した状態としておく（図７中の上段側のアンテナケーブル５０を参照）。一方で、誘電体１１２をそのフランジ部１１２ｂが嵌合部１１３ａの前方端縁に当接するまで、嵌合部１１３ａ内へと押し込み、内導体端子１１１と外導体端子１１３とを組み付けておく（図７中の上段側のケーブル端子１１０を参照）。
【００３４】
次に、アンテナケーブル５０が接続された内導体端子１１１を誘電体１１２の収容部１１２ａ内へと押し込み、内導体端子１１１の先端を収容部１１２ａの奥側の壁面に当接させる。次いで、アンテナケーブル５０の折り返した編組線５３の周面に編組バレル１１３ｃをかしめることにより、ケーブル端子１１０の組付作業が完了する（図７中の下段側のケーブル端子１１０を参照）。
【００３５】
次に、上記工程により組み付けられたケーブル端子１１０をケーブル側ハウジング１２０内へと収容する工程について、図７及び図８を参照して説明する。まず、各ケーブル端子１１０を、ケーブル側ハウジング１２０の収容部１２１の収容口１２１ｃから挿入する。外導体端子１１３のスタビライザ１１３ｂを収容部１２１の嵌入溝１２１ａに嵌め入れて、ケーブル端子１１０を差込溝１２３を横切りつつ嵌入溝１２１ａに沿って奥行き方向に押し込む。スタビライザ１１３ｂが嵌入溝１２１ａの端縁まで到達すると、ケーブル端子１１０がその先端を収容部１２１から突出させた状態で係止される（図８参照）。このとき、スタビライザ１１３ｂは前方側の収容部１２１内に完全に収まっており、差込溝１２３にはリテーナ１３０が装着可能な状態となっている。
【００３６】
次に、リテーナ１３０を差込溝１２３へと嵌め入る。スタビライザ１１３ｂの後端はリテーナ１３０の係合部１３０ｂと当接しており、これによって各ケーブル端子１１０の抜脱が阻止される（図８参照）。以上の工程により、ケーブル側コネクタ１００の組付作業が完了する。
【００３７】
基板側コネクタ１とケーブル側コネクタ１００とを接続するに際しては、図８に示すように、基板側コネクタ１側の内導体端子１１，２１のケーブル側接続部１１ａ，２１ａを、ケーブル側コネクタ１００側のメス型の内導体端子１１１に嵌合接続することにより、基板側コネクタ１とケーブル側コネクタ１００との間で電気信号の受け渡しが可能となる。また、ケーブル側コネクタ１００のケーブル側ハウジング１２０の上面に延設されるロック部１２４のロック用突起１２４ａに基板側ハウジング３０のストッパ３４ａを係合することにより、ケーブル側コネクタ１００が抜脱不能に係止される。以上の工程により本実施の形態に係るダイバーシティ受信機用コネクタユニットが得られる。
【００３８】
本実施の形態に係るダイバーシティ受信機用コネクタユニットは、複数本（この場合２本）のアンテナケーブル５０がケーブル端子１１０を介して一括に接続されたケーブル側コネクタ１００を他端側がプリント回路基板４０に接続される基板側コネクタ１に組み付けてなるものであり、アンテナケーブル５０を基板側コネクタ１に組み付ける作業としては、ケーブル側コネクタ１００を基板側コネクタ１の嵌合部３４に嵌め込むだけであり、わずか一回の工程で済む。したがって、複数本のアンテナケーブルをその接続端子を介して１つずつ基板側のコネクタに取り付けていた従来型のコネクタに比べて、その接続作業は極めて簡略かつ容易である。
【００３９】
また、本実施の形態に係るダイバーシティ受信機用コネクタユニットを構成する基板側コネクタ１は、略直角型構造を有するシールド端子１０，２０をプリント回路基板面から垂直方向（縦方向）に基板側ハウジング３０内に配設させてなるものであり、シールド端子をプリント回路基板面に対して横方向に配設させてなる場合と比べて、プリント回路基板面に対する専有面積が小さくなる。このため、１つには、専有面積の縮小分だけプリント回路基板の小型化を図ること可能であり、また１つには、プリント回路基板面上に配設される配線回路（信号パターン）の配線量の増大化を図ることが可能である。
【００４０】
（第２の実施の形態）
本発明の第２の実施の形態に係るダイバーシティ受信機用コネクタユニットについて説明する。このダイバーシティ受信機用コネクタユニットは、基板側コネクタ２に特徴を有するものであり、ケーブル側コネクタについては説明を省略している。本実施の形態に係る基板側コネクタ２は、図９に示すように、基板側ハウジング８０の下段側の収容部８２に略直線型のシールド端子６０を配設し、上段側の収容部８３に略直角型のシールド端子７０を配設させたところに特徴を有する。各シールド端子６０，７０は共に、内導体端子６１，７１、誘電体６２，７２、及び外導体端子６３，７３から構成される。以下に、各構成部材について説明する。ここで、基板側ハウジング８０の上段側の収容部８３に配設されるシールド端子７０については、第１の実施の形態で説明したシールド端子１０，２０と同じ構成であるので説明は省略し、下段側の収容部８２に配設されるシールド端子６０についてのみ説明する。なお、以下に示す本実施の形態の説明においても、図示しないケーブル側コネクタとの接続側を「前側」とし、図９に示す向きによって上下左右の関係を表している。
【００４１】
内導体端子６１は、図示しないケーブルアンテナのケーブル端子に接続されるケーブル側接続部６１ａと、後述するプリント回路基板４０に接続される基板側接続部６１ｂとを備え、両接続部６１ａ，６１ｂが略直線状に形成されてなるものである。
【００４２】
誘電体６２は、後端側を開放する収容部６２ａを備え、この収容部６２ａに内導体端子６１が挿入される。また、この収容部６２ａから前方に向けて挿通孔６２ｂが延設され、内導体端子６１のケーブル側接続部６１ａが挿入される（図１１参照）。また、誘電体６２の上面及び下面の中央端部には溝部６２ｃ，６２ｄが前後に相対して凹状に設けられている。
【００４３】
外導体端子６３は、一方向に延設され両端が開口された嵌合部６３ａからなり、前面の開口部には、図示しないケーブル側コネクタを構成するメス型のケーブル端子が嵌め込まれる。この嵌合部６３ａの前側の上下及び左右壁面には、メス型のケーブル端子の外周面に弾性接触可能とする接触部６３ｂが内側に突設されている。また、これら接触部６３ｂ後方の上下面には、係止部６３ｃ，６３ｄが内側に突設されている。この係止部６３ｃ，６３ｄは、互いに逆向きとなるように切り起こされており、誘電体６２の溝部６２ｃ，６２ｄにそれぞれ係合することで誘電体６２を係止する機能を担う。また、嵌合部６３ａの上面後端には、スタビライザ６３ｅが外側に向けて形成されている。また、スタビライザ６３ｅの下方の左右壁面には、ランス６３ｆが外側に突設されており、後述する基板側ハウジング８０のランス係合部８１ｂに嵌合される。さらに、嵌合部６３ａの後端縁には、対からなる接地用タブ６３ｋが後方に向けて延設されている。この接地用タブ６３ｋは、シールド端子６０として組み付けられる内導体端子６０の基板側接続部６１ｂと略同一の高さ位置となるように延設されており、後述するプリント回路基板４０のグランドパターン４３に接続される（図１２参照）。
【００４４】
基板側ハウジング８０は、隔壁８１を介して上下２つの収容部８２，８３がそれぞれ前後方向に延設されており、上述のシールド端子６０，７０がそれぞれ収容される。また、下段側の収容部８２の後方ならびに上段側の収容部８３の後部は切り欠かれた状態で開放されており、この開放部に向けて下段側のシールド端子６０に備えられる内導体端子６１の基板側接続部６１ｂが後方に突出されると共に、上段側のシールド端子７０に備えられる内導体端子７１の基板側接続部７１ｂが下方に突出される。また、収容部８２，８３の両側壁面には、外導体端子６３，７３のスタビライザ６３ｅ，７３ｅを嵌合する嵌合溝８２ａ，８３ａが形成されている（図１０参照）。また、各収容部８２，８３の左右壁面にはランス係合部８２ｂ，８３ｂが凹状に設けられており、外導体端子６３，７３のランス６３ｆ，７３ｆが嵌合される。
【００４５】
また、収容部８２，８３の前方には、前面が開口された嵌合部８４が形成されており、図示しないケーブル側コネクタを収容可能とする。この嵌合部８４の前方上端縁にはストッパ８４ａが突設されており、ケーブル側コネクタを抜脱不能に係止する。また、基板側ハウジング８０の後端側の外側壁面には取付部８５が突設されており、この取付部３４には上下方向に貫通するネジ取付孔８５ａが設けられている。このネジ取付孔８５ａには後述する組付ネジＳが挿通され、プリント回路基板４０にネジ留めされることにより、基板側ハウジング８０がプリント回路基板４０上に固定保持される。
【００４６】
以下に、上記構成部材からなる基板側コネクタ２の組付工程について説明する。まず、図９を参照して、基板側ハウジング８０の下段側に収容される略直線型のシールド端子６０の組付作業について説明する。なお、上述したように、上段側に収容される略直角型のシールド端子７０については第１の実施の形態に係るシールド端子１０，２０と同じ構造を有しているので説明は省略する。
【００４７】
まず、内導体端子６１を誘電体６２の後方から収容部６２ａへと挿入し、ケーブル側接続部６１ａを挿通孔６２ｂへと貫挿させる。内導体端子６１が収容部６２ａの内壁に当接するまで押し込むと、ケーブル側接続部６１ａと基板側接続部６１ｂが共に前後方向に突出する。次に、この組付体を外導体端子６３の後方より嵌合部６３ａの所定位置まで押し込むと、嵌合部６３ａ上面の係止部６３ｃが誘電体６２上面の溝部６２ｃ端縁に当接すると共に、嵌合部６３ａ下面の係止部６３ｄが誘電体６２下面の溝部６２ｄへと係合され、組付体が嵌合部６３ａ内に抜脱不能に係止される。以上の工程により、シールド端子６０の組み付けが完了する。
【００４８】
次に、上記工程により組み付けられたシールド端子６０，７０を基板側ハウジング８０の収容部８２，８３へと収容する。収容は、下段側、上段側の順に行う。このとき、各シールド端子６０，７０のスタビライザ６３ｅ，７３ｅが嵌合溝８２ａ，８３ａに嵌入されると共に、ランス６３ｆ，７３ｆがランス係合部８２ｂ，８３ｂに嵌合されることによって、シールド端子６０，７０がその先端部を収容部８２，８３の前方へと突出させた状態で抜脱不能に係止される（図１１参照）。このようにして基板側コネクタ２が組み付けられる。
【００４９】
次に、上記工程により得られた基板側コネクタ２をプリント回路基板４０に組み付ける工程を、図１２〜図１４を参照して説明する。組み付けに際しては、図１３（ａ）に示すように、基板側コネクタ２の後方側を上方に傾けながら突設する下段側のシールド端子６０の基板側接続部６１ｂ及び接地用タブ６３ｋ（図１３では図示されないが、紙面に垂直な方向に配設されている）と上段側のシールド端子７０の基板側接続部７１ｂ及び接地用タブ７３ｋとの間にプリント回路基板４０を挟み込むようにして、基板側コネクタ２をプリント回路基板４０の切込み部４０ａ内に嵌め入れる。
【００５０】
次いで、その状態から基板側コネクタ２を水平位置に戻すと、上段側のシールド端子７０の基板側接続部７１ｂ及び接地用タブ７３ｋがプリント回路基板４０上のスルーホール４１ａ，４１ｂに嵌め込まれると共に、下段側のシールド端子６０の基板側接続部６１ｂ及び接地用タブ６３ｋがプリント回路基板４０の下面側の信号パターン４２ｃ及びグランドパターン４３と当接する（図１３（ｂ）及び図１４参照）。このとき、取付部８５のネジ取付孔８５ａとプリント回路基板４０のネジ穴４４が相重なった状態で基板取付部８５の上端がプリント回路基板４０の下面と当接している。次に、組付ネジＳをネジ取付孔８５ａとネジ穴４４とに挿通させプリント回路基板４０にネジ留めすることによって、基板側コネクタ２がプリント回路基板４０に固定保持される（図１４参照）。
【００５１】
最後に、各シールド端子６０，７０の基板側接続部６１ｂ，７１ｂと接地用タブ６３ｋ，７３ｋをプリント回路基板４０にハンダ付けして、基板側接続部６１ｂ，７１ｂが信号パターン４２ａ，４２ｃと電気的に接続され、接地用タブ６３ｋ，７３ｋがグランドパターン４３に接続される。なお、下面側の信号パターン４２ｃはスルーホール４１ｃを介して上面側の信号パターン４１ｂと電気的に接続されており、下段側のシールド端子６０とプリント回路基板４０の上面側の信号パターン４２ｂとの間で電気信号の受け渡しが可能となる（図１１参照）。以上の工程により、基板側コネクタ２のプリント回路基板４０への組み付け作業が完了する。
【００５２】
なお、本実施の形態では、プリント回路基板４０に切込み部４０ａを形成し、この切込み部４０ａに基板側コネクタ２を嵌め込むことによって、基板側コネクタ２とプリント回路基板４０との組み付けを行っている。こうすることにより、基板側コネクタ２はプリント回路基板４０からはみ出すことなく基板上に組み付けることができるので、回路基板の収容スペースを縮小したい場合などには有用である。しかし、本実施の形態に係る基板側コネクタ２をプリント回路基板４０に組み付ける手段としては上述のものに限られない。例えば、プリント回路基板４０には切込み部４０ａは設けずに、プリント回路基板４０の端縁部に基板側コネクタ２をそのまま取り付けるようにすることも可能である。但し、その場合には、基板側コネクタ２をプリント回路基板４０にネジ止めするための基板取付部８５の位置を適宜変更することが必要となる。このように構成すれば、切り欠き部４０ａが不要となる分だけ配線回路（信号パターン）の配線スペースが確保されることとなるので、プリント回路基板４０の小型化、若しくは、プリント回路基板４０上の信号パターン等の配線スペースの増大化を図ることができる。
【００５３】
また、基板側ハウジング８０の下段側の収容部８１に収容されるシールド端子６０に備えられる内導体端子６１は、基板側接続部６１ｂがプリント回路基板４０の下面側の信号パターン４２ｂに当接することによりプリント回路基板４０との接続が図られているが、その接続はプリント回路基板４０の上面側においてなされるものであっても構わない。
【００５４】
本実施の形態に係るダイバーシティ受信機用コネクタユニットは、上述の第１の実施の形態と同様に、複数本のアンテナケーブルをケーブル側コネクタに一括して接続し、これを基板側コネクタ２に組み付けてなるものであるため、アンテナケーブルの基板側コネクタ２への取付作業が簡略化され、極めて容易に行うことが可能である。また、本実施の形態に係るダイバーシティ受信機用コネクタユニットの特徴としては、基板側ハウジング８０の下段側の収容部８１に略直線型構造を有するシールド端子６０を配設させてなるものであるため、略直角型のシールド端子のようにプリント回路基板４０側に延設する部分（基板組付部）がなく、収容部８１の大きさがシールド端子６０の全長方向及び高さ方向に短縮され、基板側コネクタの更なる小型化が図られる。これにより、配設されるシールド端子が全て略直角型構造である場合と比べて、基板側コネクタ２のプリント回路基板４０に対する専有面積が縮小されることとなり、より一層のプリント回路基板４０の小型化、若しくは、プリント回路基板４０上の信号パターンや電子素子等を配設させるスペースの増大化を図ることができる。
【００５５】
以上、本発明の実施の形態について説明したが、本発明に係るダイバーシティ受信機用コネクタユニットは、上記実施の形態に何ら限定されるものではなく、本発明の要旨を逸脱しない範囲で種々の改変が可能である。
【００５６】
例えば、上記実施の形態では、２本のアンテナケーブルとプリント回路基板とを繋ぐ２極型のダイバーシティ受信機用コネクタユニットについて示しているが、３極以上のケーブル端子及びシールド端子を備えたものであっても良いことはいうまでもない。また、上記実施の形態では、基板側コネクタのプリント回路基板面に対する専有面積を小さくする目的でシールド端子をプリント回路基板面に対して略垂直方向（縦方向）に配設させた基板側コネクタについてのみ示しているが、これに限られず、シールド端子をプリント回路基板面に対して横方向に複数配設させてなる横型の基板側コネクタであっても構わない。また、上記実施の形態では、アンテナケーブルに接続されるケーブル端子及び基板側コネクタに配設されるシールド端子共に角筒形状のものについて示しているが、これら端子は円筒形状等その他の形状を有するものであっても良い。さらに、上記実施の形態では、略直角型のシールド端子を構成する内導体端子は、プリント回路基板上に形成されるスルーホールに挿通してプリント回路基板の表裏両面でハンダ付けするスルーホール型の形状としているが、プリント回路基板の表面側のみでハンダ付けする表面実装型の形状を有するものであっても良い。
【００５７】
【発明の効果】
本発明に係るダイバーシティ受信機用コネクタユニットは、複数の電波を同時に受信する複数本のアンテナケーブルをダイバーシティ受信機を構成する集積回路を備えたプリント回路基板に接続するに際して、複数本のアンテナケーブルのそれぞれの端末部に接続されたケーブル端子をケーブル側ハウジング内に一括して配設してなるケーブル側コネクタを、ケーブル端子と同数のシールド端子を配設してなる基板側コネクタの嵌合部に取り付けることを特徴とするものである。これにより、複数本のアンテナケーブルは予めケーブル側コネクタに一括に組み付けられた状態で基板側コネクタに接続されるので、アンテナケーブルとプリント回路基板と接続する際の接続作業としては一回で済み、複数本のアンテナケーブルを１つずつ接続端子を介して基板側のコネクタに接続してなる従来型のダイバーシティ受信機用コネクタユニットと比べて、その接続作業は極めて簡素かつ容易であり、作業効率の大幅な向上が図られるという本発明特有の効果がある。
【００５８】
また、本発明に係るダイバーシティ受信機用コネクタユニットを構成する基板側コネクタは、ケーブル側コネクタとプリント回路基板との間の電気信号の受け渡しを担うシールド端子が基板側ハウジングを介してプリント回路基板面から垂直方向（縦方向）に複数配設させてなることを特徴としているので、シールド端子を横方向に複数配設させた従来型のコネクタと比べて、プリント回路基板に対する専有面積が小さくなる。このようにプリント回路基板に対する専有面積が縮小されれば、１つには、縮小した専有面積分だけプリント回路基板の小型化を図ることが可能となり、これを組み込んでなる電子機器等の小型化を図ることができるという効果がある。また１つには、専有面積が縮小された分だけプリント回路基板上の信号パターンや電子素子等の配設スペースをより多く確保することができるので、電子部品やＩＣ等の実装量を増やすなどして電気信号の更なる高速化に適応可能なプリント回路基板を提供することができるという効果がある。
【図面の簡単な説明】
【図１】本発明の第１の実施の形態に係るダイバーシティ受信機用コネクタユニットを構成する基板側コネクタの分解斜視図である。
【図２】図１に示す基板側ハウジングの正面図である。
【図３】図１に示す基板側ハウジングの（ａ）横断面図、（ｂ）断面斜視図である。
【図４】図１に示すシールド端子の組付工程を示した横断面図である。
【図５】図１に示すシールド端子を基板側ハウジングの収容部に収容する工程を示した断面斜視図である。
【図６】図１に示す基板側コネクタをプリント回路基板に組み付ける状態を示した斜視図である。
【図７】図６に示す基板側コネクタに接続されるケーブル側コネクタの分解斜視図である。
【図８】図６に示すケーブル側コネクタと基板側コネクタとの接続状態を示した横断面図である。
【図９】本発明の第２の実施の形態に係るダイバーシティ受信機用コネクタユニットを構成する基板側コネクタの分解斜視図である。
【図１０】図９に示す基板側ハウジングの横断面図である。
【図１１】図１０に示す基板側ハウジングにシールド端子を収容した状態を示した横断面図である。
【図１２】図９に示す基板側コネクタをプリント回路基板に組み付ける状態を示した斜視図である。
【図１３】図９に示す基板側コネクタをプリント回路基板に組み付ける工程を示した平面図である。
【図１４】図９に示す基板側コネクタをプリント回路基板に組み付けた状態を示した斜視図である。
【符号の説明】
１，２　基板側コネクタ
１０，２０，６０，７０　シールド端子
１１，２１，６１，７１　内導体端子
１１ａ，２１ａ，６１ａ，７１ａ　ケーブル側接続部
１１ｂ，２１ｂ，６１ｂ，７１ｂ　基板側接続部
１２，２２，６２，７２　誘電体
１３，２３，６３，７３　外導体端子
３０，８０　基板側ハウジング
３１，８１　隔壁
３２，８２　収容部（下段側）
３３，８３　収容部（上段側）
４０　プリント回路基板
５０　アンテナケーブル
１００　ケーブル側コネクタ
１１０　ケーブル端子
【図１】
2004007045.tif 000003
【図２】
2004007045.tif 000004
【図３】
2004007045.tif 000005
【図４】
2004007045.tif 000006
【図５】
2004007045.tif 000007
【図６】
2004007045.tif 000008
【図７】
2004007045.tif 000009
【図８】
2004007045.tif 000010
【図９】
2004007045.tif 000011
【図１０】
2004007045.tif 000012
【図１１】
2004007045.tif 000013
【図１２】
2004007045.tif 000014
【図１３】
2004007045.tif 000015
【図１４】
2004007045.tif 000016